(57)【要約】【課題】縦ひだ絞り紙製容器の保形性を確保し、この容器の開口縁に簡単確実に平蓋を接着施蓋可能となし、衛生上好ましい縦ひだ絞り紙製容器を得ること。【解決手段】容器胴部４を連続波形に成形した縦ひだ絞り紙製容器５の開口周辺５Ａを満遍なく広げ起こして容器胴部４の上部周辺に横鍔４Ａと、この横鍔に連接した縦鍔４Ｂとをそれぞれ一体形成し、この縦鍔４Ｂの上部を外向き下方に満遍なく丸め返してカール縁辺４Ｃを形成し、さらにこのカール縁辺４Ｃを満遍なく上下方向に押し潰して外向き二重平鍔ｆを形成し、この平鍔ｆをその内側から下向きに満遍なく折り曲げて外下がり二重外鍔Ｆを形成することで、この外鍔Ｆの剛性により前記容器上部を妄りに変形しない程度に補強した。【選択図】      図１
2004196368.tif 000002
【特許請求の範囲】
【請求項１】
用紙１をその中央における容器底部２になる部分の周辺から多数の縦ひだ３と共に満遍なく折り起こし、容器胴部４を連続波形に絞り形成した縦ひだ絞り紙製容器５において、前記容器５の開口周辺５Ａを満遍なく広げ起して前記容器胴部４の上部周辺に横鍔４Ａと、この横鍔に連接した縦鍔４Ｂとをそれぞれ一体形成し、この縦鍔４Ｂの上部を外向き下方に満遍なく丸め返してカール縁辺４Ｃを形成し、また、このカール縁辺４Ｃを満遍なく上下方向に押し潰して外向き二重平鍔ｆを形成し、この平鍔ｆをその内側輪郭から下向きに満遍なく折り曲げて外下がり二重外鍔Ｆを形成することで、この外鍔Ｆの剛性により前記容器上部を妄りに変形しない程度に補強してなる縦ひだ絞り紙製容器。
【請求項２】
用紙１をその中央における容器底部２になる部分の周辺から多数の縦ひだ３と共に満遍なく折り起し、容器胴部４を連続波形に絞り形成した縦ひだ絞り紙製容器５において、前記容器５の開口周辺５Ａを満遍なく広げ起して前記容器胴部４の上部周辺に横鍔４Ａと、この横鍔に連接した縦鍔４Ｂとをそれぞれ一体形成し、この縦鍔４Ｂの上部を外向き下方に満遍なく丸め返してカール縁辺４Ｃを形成し、このカール縁辺４Ｃを満遍なく上下方向に押し潰して外向き二重平鍔ｆを形成し、この平鍔ｆを前記横鍔４Ａの付け根輪郭から下向きに満遍なく折り曲げて外下がり二重外鍔Ｆを形成することで、この外鍔Ｆの剛性により前記容器上部を妄りに変形しない程度に補強してなる縦ひだ絞り紙製容器。
【請求項３】
前記縦鍔４Ｂの上部を外向き下方に満遍なく丸め返してさらに内向き上方に丸め上げることで、縦断面渦巻き状のカール縁辺４Ｃを形成し、このカール縁辺４Ｃを満遍なく上下方向に押し潰して外向き多重平鍔ｆを形成し、この平鍔ｆをその内側輪郭から下向きに満遍なく折り曲げて外下がり多重外鍔Ｆを形成することで、この外鍔Ｆの剛性により前記容器上部を妄りに変形しない程度に補強してなる請求項１または請求項２に記載の縦ひだ絞り紙製容器。
【請求項４】
前記外下がり二重外鍔Ｆの上面に平蓋４Ｄの周辺下面４ｄを加圧接着して施蓋した請求項１から請求項３までのいずれか一つの請求項に記載の縦ひだ絞り紙製容器。
【請求項５】
前記外向き二重平鍔ｆの対向面同士を接着してなる請求項１から請求項４までのいずれか一つの請求項に記載の縦ひだ絞り紙製容器。
【請求項６】
前記用紙１にシリコン樹脂加工紙を用いた請求項１から請求項５までのいずれか一つの請求項に記載の縦ひだ絞り紙製容器。
【請求項７】
用紙１をその中央における容器底部２になる部分の周辺から多数の縦ひだ３と共に折り起し治具で満遍なく折り起こし、容器胴部４を連続波形に絞り形成した縦ひだ絞り紙製容器５を作るに当たり、前記容器５の開口周辺５Ａを満遍なく広げ起して前記容器胴部４の上部周辺に横鍔４Ａと、この横鍔に連接した縦鍔４Ｂとをそれぞれ一体形成し、この縦鍔４Ｂの上部を外向き下方にカール形成治具で満遍なく丸め返してカール縁辺４Ｃを形成し、このカール縁辺４Ｃを押し潰し治具で満遍なく上下方向に押し潰して外向き二重平鍔ｆを形成し、この平鍔ｆをその内側から折り曲げ治具で下向きに満遍なく折り曲げて外下がり二重外鍔Ｆを形成することで、この外鍔Ｆの剛性により前記容器上部を妄りに変形しない程度に補強することを特徴とする縦ひだ絞り紙製容器の製造方法。
【請求項８】
前記平鍔ｆを前記横鍔４Ａの付け根輪郭から折り曲げ治具で下向きに満遍なく折り曲げて外下がり二重外鍔Ｆを形成することで、この外鍔Ｆの剛性により前記容器上部を妄りに変形しない程度に補強することを特徴とする請求項７に記載の縦ひだ絞り紙製容器の製造方法。
【発明の詳細な説明】
【０００１】
【発明の属する技術分野】
本発明は、保形性を強化した縦ひだ絞り紙製容器に係り、特に容器内に焼き菓子や蒸し菓子などの菓子生地を入れて加熱加工する際や、この加工済食品が入った容器を出荷・販売・購入する各流通経路および使用課程で紙製容器が妄りに変形しないように補強するとともに、平蓋の接着施蓋も容易にできる食品衛生上好ましい縦ひだ絞り紙製容器とその製造方法に関する。
【０００２】
【従来の技術】
紙製容器や紙皿の開口縁を外側に丸め返してカール縁辺を形成した絞り成形紙製容器としては、特許第２８７５４９６号公報記載のものや、実公平６−６７７５号公報記載のものが周知である。
【０００３】
【発明が解決しようとする課題】
前記各従来例による絞り成形紙製容器は、その開口縁に形成した単なるカール縁辺だけで容器開口縁の外力による変形を防止し、保形性を確保しようとしているため、容器に加わる少許の外力で容器開口縁が上記カール縁辺と共に外向き朝顔状に部分変形し易く、比較的に大形の「丼」状縦ひだ絞り紙製容器は１平方メートル当たり２３０グラム程度のカップ原紙から作っても、また、１平方メートル当たり１１０グラム程度の中厚紙で作った縦ひだ絞り紙製容器は比較的に小形であっても、その開口縁が少許の外力により上記のように部分変形してしまい、これら各従来例による絞り成形紙製容器は、外力に対して保形性が弱いものであったので、熱い液体を入れた上記容器を手指で持ち上げた場合、この従来容器内の熱い液体が溢れ出して手指を火傷したり、上記従来容器内に入れた菓子生地を容器と共に加熱して食品として加工する際に、この菓子生地の加熱膨張により絞り成形紙製容器が変形して売り物にならない物もでてくるという本質的かつ、大きな問題点が有る。
【０００４】
さらに、前記各従来例におけるカール縁辺は、それぞれ上部が全体的に丸く、施蓋しようとする平蓋との接面部分が円形、または非円形輪郭の線接触となってしまうため、平蓋の接着施蓋が著しく困難で、その接着施蓋装置も大掛かりな加圧接着装置か必要になって不経済となるという大きな問題点も有る。
【０００５】
この発明は、上記各従来例の問題点を除去するために、縦ひだ絞り紙製容器の保形性を厳重に確保し、縦ひだ絞り紙製容器の開口縁に平蓋を簡単確実に接着施蓋できる縦ひだ絞り紙製容器を安価に多量製造可能とすることを目的とする。
【０００６】
【課題を解決するための手段】
上記した本発明の目的は、用紙をその中央における容器底部になる部分の周辺から多数の縦ひだと共に折り起こし、容器胴部を連続波形に絞り形成した縦ひだ絞り紙製容器を作るに当たり、前記容器の開口周辺を満遍なく広げ起こして前記容器胴部の上部周辺に横鍔と、この横鍔に連接した縦鍔とをそれぞれ一体形成し、この縦鍔の上部を外向き下方に満遍なく丸め返してカール縁辺を容器上部に形成し、このカール縁辺をさらに満遍なく上下方向に押し潰すことで外向き二重平鍔を形成し、この平鍔をその内側から下向きに満遍なく折り曲げて外下がり二重外鍔を形成することで、この外鍔の剛性により前記容器上部を妄りに変形しない程度に補強したことで達成できた。
【０００７】
【発明の実施の形態】
本発明の実施の形態のうち、先ず、本発明の基本的な形態例を説明する。
本発明の基本的な形態は、図１および図２のような縦ひだ絞り紙製容器５を作るための１平方メートル当たり１１０グラム程度の中厚紙等の用紙１をその中央における平面輪郭が円形または非円形の容器底部２になる部分の周辺から多数の縦ひだ３と共に満遍なく折り起こして容器胴部４となした縦ひだ絞り紙製容器５を作るに当たり、本発明では先ず、縦ひだ付きの雌雄プレス押し型を用いた周知の縦ひだ絞り成形手段により得た上記縦ひだ絞り紙製容器５の上部に満遍なく縦横の各鍔を成形する過程として、前記従来例などにおける雌雄プレス押し型を用いた周知の縦横鍔成形手段により、前記容器５の開口周辺５Ａを満遍なく広げ起こして前記容器胴部４の上部周辺に横鍔４Ａと、この横鍔に連接した縦鍔４Ｂとをそれぞれ図２のように一体形成した縦ひだ絞り紙製容器５を予め作る。
ただし、上記図２では、横鍔４Ａと、この横鍔に連接した縦鍔４Ｂとをそれぞれ便宜上白く無地に表現してあるが、実際には、これら各鍔４Ａ，４Ｂには前記容器胴部４の上部における多数の縦ひだ３の潰しシワが生じる。
【０００８】
次いで、前記縦鍔４Ｂの上部をさらに前記従来例などにおけるプレス式のカール形成押し型やカール形成ローラを用いた周知のカール縁辺成形手段により、図３および、その要部拡大図のように外向き下方に満遍なく丸め返して縦ひだ絞り紙製容器５の開口縁にカール縁辺４Ｃを形成した後、このカール縁辺４Ｃをプレス式の押し潰し治具や押し付けローラで満遍なく上から下に押し潰して図４のような外向き二重平鍔ｆを形成し、この平鍔ｆの内側輪郭に沿った薄肉の筒体上に容器５を載せ、その上から一回り大きい筒体を上記平鍔ｆ上に押し付けてこの平鍔ｆを満遍なく外下がり斜めにシゴキ曲げるようにした外鍔折り曲げ治具（図示せず）や手指で丁寧に上記二重平鍔ｆを下向き鋭角に満遍なく折り曲げ図１のように保形することで、外下がり二重外鍔Ｆを縦ひだ絞り紙製容器５の開口縁に形成することができ、この外鍔Ｆの剛性により前記容器上部を妄りに変形しない程度に補強した同図１のような本発明による縦ひだ絞り紙製容器を構成できた。
【０００９】
このようにして作った本発明による各縦ひだ絞り紙製容器５は、その開口縁に外下がり二重外鍔Ｆを形成したので、容器の内外から外力が加わっても、この外力は、主として上記外下がり二重外鍔Ｆをその強い保形剛性に抗して水平近くに持ち上げるエネルギーとして費やされ、外鍔Ｆが水平近くに持ち上がる以前に上記外力を外鍔Ｆの外下がり斜め方向復元ツッパリ弾力で跳ね返すことができるため、本発明による各縦ひだ絞り紙製容器５の上記開口縁の保形性は、上記外下がり二重外鍔Ｆのツッパリ弾力による強い剛性復元力でシッカリ確保でき、前記従来例のように容器開口縁が外向き朝顔状に部分変形しなくなったので、本発明による各縦ひだ絞り紙製容器５は、中厚紙以下の薄手紙による比較的に小形の縦ひだ絞り紙製容器としても、また、１平方メートル当たり２３０グラム程度のカップ原紙で作った比較的に大形の「丼」状縦ひだ絞り紙製容器としても、その開口縁は外力により上記のように部分的に変形し辛く、本発明による各縦ひだ絞り紙製容器５は、外力に対してその保形性が強いものとなったので、熱い液体を入れた本発明による縦ひだ絞り紙製容器を手指で持ち上げても、この容器内の熱い液体が溢れ出すこともなく、上記容器内の菓子生地を加熱加工しても、この菓子生地の加熱膨張力では縦ひだ絞り紙製容器は変形しない。
【００１０】
また、前記縦鍔４Ｂの上部を外向下方に満遍なく丸め返し、さらに、その先端を内向き上方に図３における要部拡大図の鎖線部分のように丸め上げることで、縦断面渦巻き状のカール縁辺４Ｃを形成し、このカール縁辺４Ｃを満遍なく上下方向に押し潰して外向き多重平鍔ｆを形成し、この平鍔ｆをその内側から下向きに満遍なく折り曲げて外下がり斜めの多重外鍔Ｆを形成し、この外鍔Ｆのさらなる強い剛性により前記容器上部をさらにシッカリ強固に補強できた
さらにまた、前記外下がり二重外鍔Ｆの上面に図５における鎖線で示すように平蓋４Ｄの周辺下面４ｄを加圧しながら接着することで、外下がり二重外鍔Ｆを図５のように水平方向に近づけつつ容器５に平蓋４Ｄを簡単確実に施蓋でき、しかも、平蓋４Ｄがヒラヒラした薄い柔軟な平蓋４Ｄであっても、施蓋後の平蓋４Ｄは、上記外鍔Ｆの外下がり方向に復元しようとするツッパリ弾力で満遍なく同図５における鎖線のようにピーンと張った美しい施蓋状態を長期間維持することができ、さらに、上記接着に当たり、ホットメルト材や糊料を若干多く厚めに塗布して接着することで、外下がり二重外鍔Ｆの上面に生じている皺を塞いだ状態で平蓋４Ｄを外下がり二重外鍔Ｆの上面に気密、液密を保ち密閉施蓋できた。
【００１１】
【実施例】
前記外向き二重平鍔ｆにおける対向面同士を予めコートした加熱接着性プラスチック層でヒートシール接着したり、上記対向面同士を糊料で接着することで、外向き二重平鍔ｆ自体の保形性および容器５全体の保形性をより一層強化することができ、さらに、前記用紙１として、シリコン樹脂を塗工した用紙やシリコン樹脂混練紙などのシリコン樹脂加工紙を用いてもよく、また、用紙１として、普通の薄葉紙や中厚紙または、普通紙にポリエチレンテレフタレート（ＰＥＴ）フイルムのような加熱軟化性保形フイルムをドライラミネーションやポリエチレンなどの加熱接着性プラスチックを糊料媒体として紙面に周知のエキストリュージョンラミネート被着法などで被着し強化した耐油性の複合用紙１を用いてもよいが、この場合には前記容器胴部４の上部周辺を１５０°Ｃ程度に加熱し、前記保形フイルムを軟化させながら横鍔４Ａと、この鍔４Ａに連接した縦鍔４Ｂとをそれぞれ一体形成した容器５を作った後、この容器胴部４の上部周辺を加熱し、保形フイルムを軟化しながら前記カール縁辺４Ｃを形成した後、このカール縁辺４Ｃを満遍なく上下方向に押し潰すことで外向き二重平鍔ｆを形成し、この平鍔ｆをその内側から下向きに満遍なく折り曲げて外下がり二重外鍔Ｆを形成した後、この外鍔を冷却固化することで、この外鍔自体および縦ひだ絞り紙製容器全体としての保形性を前記熱軟化性保形フイルムの冷却固化後の強い剛性により、さらに一層確実に強化することができた。
【００１２】
また、上記保形フイルムの面または紙面にシリコン樹脂層を塗工してもよく、さらに、上記加熱接着性プラスチックによる糊料媒体の代りに熱硬化性糊料を用いてもよく、さらにまた、前記保形フイルムの面に予めコロナ照射を施したり、強酸や強アルカリ溶液内に浸漬するなどして保形フイルムの面を活性化し、この活性化面にシリコン樹脂層を被着すれば、フイルム面に対するシリコン樹脂層の食いつきがよくなり、少量のシリコン樹脂でもその被着強度を増すことができ、前記保形フイルムを溶融ポリエチレン等の加熱接着性プラスチックを糊料媒体として用紙１にラミネート被着すれば、良質で長尺の用紙１を安価に得ることができ、結局、良質で安価な縦ひだ絞り紙製容器を多量製造することができた。
また、前記用紙１の面にポリエチレン等の防湿性プラスチックを加熱溶融コーティングしたりラミネートした防湿複合用紙を用いれば、容器全体として防湿性に優れた縦ひだ絞り紙製容器を安価に多量製造することができる。
【００１３】
【発明の効果】
本発明は、以上のような形態を採用したので、以下に記載の効果を奏する。
この発明における請求項１、請求項２の各発明によれば、縦ひだ絞り紙製容器５の開口周辺５Ａを満遍なく広げ起こして前記容器胴部４の上部周辺に横鍔４Ａと、この横鍔に連接した縦鍔４Ｂとをそれぞれ一体形成し、この縦鍔４Ｂの上部を外向き下方に満遍なく丸め返して容器上部にカール縁辺４Ｃを形成し、また、このカール縁辺４Ｃを満遍なく上下方向に押し潰して外向き二重平鍔ｆを形成し、この平鍔ｆをその内側から下向きに満遍なく折り曲げて外下がり二重外鍔Ｆを形成することで、この外鍔Ｆの強い保形剛性により前記容器上部を妄りに変形しない程度に補強できた。
【００１４】
したがって、本発明における前記各発明による各縦ひだ絞り紙製容器５は、その開口縁に外下がり二重外鍔Ｆを形成したので、容器の内外から外力が加わっても、この外力は、主として上記外下がり二重外鍔Ｆをその強い保形剛性に抗して水平近くに持ち上げるエネルギーとして費やされ、外鍔Ｆが水平近くに持ち上がる以前に上記外力を外鍔Ｆの外下がり斜め方向復元ツッパリ弾力で跳ね返すことができるため、本発明による各縦ひだ絞り紙製容器５の上記開口縁の保形性は、上記外下がり二重外鍔Ｆのツッパリ弾力による強い剛性復元力でシッカリ確保でき、前記従来例のように容器開口縁が外力で外向き朝顔状に部分変形しなくなったので、本発明による各縦ひだ絞り紙製容器５は、中厚紙以下の薄手紙による比較的に小形の縦ひだ絞り紙製容器としても、また、１平方メートル当たり２３０グラム程度のカップ原紙で作った比較的に大形の「丼」状縦ひだ絞り紙製容器としても、その開口縁は外力により上記のように部分的に変形し辛く、本発明による各縦ひだ絞り紙製容器５は、外力に対してその保形性が強いものとなったので、熱い液体を入れた本発明による縦ひだ絞り紙製容器を手指で持ち上げても、この容器内の熱い液体が溢れ出すこともなく、上記容器内の菓子生地を加熱加工しても、この菓子生地の加熱膨張力では縦ひだ絞り紙製容器は変形しない縦ひだ絞り紙製容器を安価に多量製造することができたという優れた効果が有るほかに、前記外鍔Ｆの上面に平蓋４Ｄの周辺下面４ｄを接着して容器５に平蓋４Ｄを簡単確実に施蓋できたという優れた効果が有る。
【００１５】
本発明における請求項３の発明によれば、前記した諸効果に加えて、前記縦鍔４Ｂの上部を外向き下方に満遍なく丸め返してさらに、その先端を内向き上方に丸め上げることで、接近した縦断面渦巻き状のカール縁辺４Ｃを形成し、このカール縁辺４Ｃを満遍なく上下方向に押し潰して外向き多重平鍔ｆを形成し、この平鍔ｆをその内側から下向きに満遍なく折り曲げて外下がり斜めの多重外鍔Ｆを形成したので、この外鍔Ｆの剛性により前記容器上部をさらにシッカリ強固に補強することができたという効果を付加できた。
【００１６】
また、本発明における請求項４に記載の発明によれば、前記外下がり二重外鍔Ｆの上面に平蓋４Ｄの周辺下面４ｄを加圧接着したことで、外下がり二重外鍔Ｆを水平方向に近づけながら容器５に平蓋４Ｄを簡単確実に接着施蓋でき、しかも、平蓋４Ｄがヒラヒラした薄い柔軟な平蓋４Ｄであっても、施蓋後の平蓋４Ｄは、上記外鍔Ｆの外下がり復元弾撥力で満遍なくピーンと張った美しい施蓋状態を長期間維持することができるという優れた効果を付加できた。
【００１７】
本発明における請求項５の発明によれば、前記した諸効果に加え、前記外向き二重平鍔ｆにおける対向面同士を接着補強した後、これをその内側輪郭から下向きに満遍なく折り曲げて外下がり二重外鍔Ｆを形成したので、この外鍔Ｆ自体の保形性をより一層強化できたし、容器５全体としての保形性もより一層強化できたという効果を付加できた。
【００１８】
この発明における請求項６の発明のように、前記用紙１にシリコン樹脂を塗工した用紙やシリコン樹脂混練紙などのシリコン樹脂加工紙を用い、この用紙１から多数の縦ひだ３と、前記外向き二重平鍔ｆと、外下がり二重外鍔Ｆとをそれぞれ一体形成した縦ひだ絞り紙製容器では、前記諸効果に加えて、シリコン樹脂の大きな表面滑性により容器を絞り成形し易くなったし、容器内に食品がコビリ付くことも無くなり、また、多数容器の重積体から容器単品をさらに一層分離し易く取出し易くなったという効果を付加できた。
【００１９】
本発明における請求項７および請求項８の各発明によれば、前記縦ひだ絞り紙製容器５の開口周辺５Ａを満遍なく広げ起して前記容器胴部４の上部周辺に横鍔４Ａと、この横鍔に連接した縦鍔４Ｂとをそれぞれ一体形成し、この縦鍔４Ｂの上部を外向き下方にカール形成治具で満遍なく丸め返してカール縁辺４Ｃを形成し、このカール縁辺４Ｃを押し潰し治具で満遍なく上下方向に押し潰して外向き二重平鍔ｆを形成し、この平鍔ｆをその内側から折り曲げ治具で下向きに満遍なく折り曲げて外下がり二重外鍔Ｆを形成できたので、肉厚が薄い紙製容器でも前記多くの絞り成形時に用紙１が破けることがなく、容器開口縁の保形性に優れ、容器開口縁の前記外鍔Ｆの上部に平蓋４Ｄを簡単確実に接着施蓋できる衛生的な縦ひだ絞り紙製容器を安価に多量製造できたという工業的な効果が有る。
【図面の簡単な説明】
【図１】本発明による実施形態の一例を示す縦断立面図
【図２】本発明における縦横鍔の成形例を示す斜視図
【図３】本発明におけるカール縁辺の成形例を示す縦断立面図と要部拡大図
【図４】本発明における平鍔の成形例を示す縦断立面図
【図５】本発明における外下がり二重外鍔に平蓋を施蓋した例の縦断立面図
【符号の説明】
１    容器を作るための用紙（複合用紙）
２    容器底部
３    容器縦ひだ
４    容器胴部
４Ａ  横鍔
４Ｂ  縦鍔
４Ｃ  容器上部に形成したカール縁辺
ｆ    外向き二重平鍔（多重平鍔）
Ｆ    外下がり二重外鍔（多重外鍔）
４Ｄ  平蓋
４ｄ  平蓋の周辺下面
５    縦ひだ絞り紙製容器
５Ａ  縦ひだ絞り紙製容器の開口周辺
【図１】
2004196368.tif 000003
【図２】
2004196368.tif 000004
【図３】
2004196368.tif 000005
【図４】
2004196368.tif 000006
【図５】
2004196368.tif 000007